【事件の表示】
　特願２００５−２２８５３１「情報処理装置」拒絶査定不服審判事件〔平成１８年　２月　９日出願公開、特開２００６−　４０２９６〕について、次のとおり審決する。
【結　論】
　本件審判の請求は、成り立たない。
【理　由】
１．手続きの経緯・本願発明
　本願は、平成３年３月２２日に出願した特願平３−５８５２０号（優先権主張　平成２年３月２３日）の一部を平成１１年１２月１３日に特願平１１−３５２９６３号として新たな特許出願とし、さらにその一部を平成１２年１月１１日に特願２０００−２１８６号として新たな特許出願とし、さらにその一部を平成１３年４月２０日に特願２００１−１２３６７５号として新たな特許出願とし、さらにその一部を平成１３年１２月２５日に特願２００１−３９１４７１号として新たな特許出願とし、さらにその一部を平成１４年１０月１日に特願２００２−２８９２７６号として新たな特許出願とし、さらにその一部を平成１４年１０月３０日に特願２００２−３１６１１５号として新たな特許出願とし、さらにその一部を平成１６年１月１６日に特願２００４−９６７３号として新たな特許出願とし、さらにその一部を平成１７年８月５日に新たな特許出願としたものであって、その請求項１に係る発明は、平成１８年７月３１日付け手続補正によって補正された明細書の特許請求の範囲の請求項１に記載された次のとおりのものと認める。（以下「本願発明」という。）
　
「バックライト及び液晶表示部を含む液晶表示装置と、外部からの情報を入力する情報入力部と、情報処理部とを備えた情報処理装置であって、
　前記バックライトは、前記情報入力部に外部からの情報の入力が一定時間ない場合に、省電力モードとなり、
　前記液晶表示部は、前記バックライトからの透過光により表示を行う透過モードと、外光の反射光により表示を行う反射モードとによって表示を行い、かつ、前記バックライトが省電力モードになった時の表示内容と同じ内容を、前記バックライトが省電力モードになった時から、前記省電力モードになった後に外部からの情報の入力がある時まで、継続して表示することを特徴とする情報処理装置。」
　
２．引用例
　これに対して、原査定の拒絶の理由で引用された特開昭６１−２１５５８８号公報（以下、「引用例１」という。）には、図面と共に次の事項が記載されている。
　
１「〔産業上の利用分野〕
　本発明は、例えば電子式卓上計算機（以下電卓という）等のバックライトを有する液晶表示装置に係り、特に操作終了後のバックライト点灯時間を設定することができ、電池の消費電力を節約することができる液晶表示装置に関するものである。
　近来、電卓，携帯用端末装置等のディスプレイに液晶による表示が広く採用されている。これらの装置は液晶表示部にバックライトを備えており、暗い場所ではこれを点灯させて使用するが、通常電池で駆動させているので、業務に適応させながら消費電力を節約する方法が望まれている。」（１ページ左下欄１９行〜右下欄１０行）
　
２「第１図において、主制御部１は、各部を制御してデータメモリ４に記憶されたデータに基づいて演算処理を行う演算機能，及びバックライト３ａの点滅を制御せしめる機能を有する。
　操作部２は、データを入力するテンキー２ａ，演算内容等を指示する機能キー２ｂ，表示面が暗い場合に押下されるバックライト点灯キー２ｃ，バックライト３ａを消灯させる消灯キー２ｄ，及び操作終了後のバックライト３ａの点灯時間値を設定する時に設定モードを指示する設定キー２ｅを備えている。
　ディスプレイ３は、液晶によって表示される表示部で、背面からバックライト３ａに照らされる構成になっている。」（２ページ左下欄１２行〜右下欄４行）
　
３「第２図のフローチャートを参照してバックライト点灯制御の作用を説明すると、
○１（審決注：丸囲み数字１の意。以下同様。）オペレータはデータ処理操作に先立って、設定キー２ｅを押下して設定モードを指定し、テンキー２ａによって設定コードを入力する。
○２すると設定時間選択部６は変換メモリ５の時間値Ｔを選択してタイムカウンタ７に設定する。
○３オペレータは操作を始める前にバックライト点灯キー２ｃを押下してバックライト３ａを点灯させる。
○４するとカウンタ７がカウントを開始して時間値Ｔから減算するが、データ入力のキー操作が行われる都度カウントをクリヤして、再び時間値Ｔから減算を開始する。
○５操作が終わった時に消灯キー２ｄを押下すると、カウントの途中でもバックライト３ａは消灯する。
○６消灯キー２ｄの押下がなくて、やがて０に達するとタイムオーバー信号をバックライト制御部８に送る。
○７バックライト制御部８はバックライト３ａを消灯させる。」（３ページ左上欄１２行〜右上欄１２行）
　
　以上の記載から、引用例１には、次の発明（以下「引用例１発明」という。）が記載されているものと認める。
　
「各部を制御してデータメモリ４に記憶されたデータに基づいて演算処理を行う演算機能，及びバックライト３ａの点滅を制御せしめる機能を有する主制御部１と、データを入力するテンキー２ａ，演算内容等を指示する機能キー２ｂ，表示面が暗い場合に押下されるバックライト点灯キー２ｃ，バックライト３ａを消灯させる消灯キー２ｄ，及び操作終了後のバックライト３ａの点灯時間値を設定する時に設定モードを指示する設定キー２ｅを備えた操作部２と、液晶によって表示される表示部であって背面からバックライト３ａに照らされるディスプレイ３を有する液晶表示装置であって、
　オペレータはデータ処理操作に先立って、設定キー２ｅを押下して設定モードを指定し、テンキー２ａによって設定コードを入力すると設定時間選択部６は変換メモリ５の時間値Ｔを選択してタイムカウンタ７に設定し、カウンタ７がカウントを開始して時間値Ｔから減算するが、データ入力のキー操作が行われる都度カウントをクリヤして、再び時間値Ｔから減算を開始し、消灯キー２ｄの押下がなくて、やがて０に達するとタイムオーバー信号をバックライト制御部８に送り、バックライト制御部８はバックライト３ａを消灯させる例えば電子式卓上計算機等のバックライトを有する液晶表示装置」
　
　同じく原査定の拒絶の理由で引用された実願昭５４−１８３２８１号（実開昭５６−１０２５７６号）のマイクロフィルム（以下、「引用例２」という。）には、図面と共に次の事項が記載されている。
　
４「本考案は、液晶表示装置に関するものである。
　液晶表示装置には反射形と透過形があるが、反射形のものは暗いところで読みとり難く、透過形のものは光源ランプの遠近によりコントラストに差が生じる欠点がある。１つの表示器に反射形と透過形の機能を持たせれば、両形式のもつ欠点を互に補うことができる。第１図は反射形と透過形両用の液晶表示装置で、これは本願出願人によって実願昭５４−１０３６４号として既に出願しているものである。」（１ページ１３行〜２ページ２行）
　
５「このような半透明反射板１４を用いた第１図の装置においては、明るいところではランプ２０をつけずに反射形として用いられるが、その場合反射板１４の光の反射作用により液晶表示器１０の全面にわたって十分なコントラストを得ることができる。又、暗いところではスイッチ２１を人手により閉じて電源２２をランプ２０に接続して、このランプ２０をつけるが、この場合、半透明反射板１４の乱反射作用により光源ランプ２０の位置に関係なく、液晶表示器１０における表示のコントラストは一様になる。」（２ページ１４行〜３ページ４行）
　
６「このように、本考案の液晶表示装置においては、周囲が明るい時にはランプをつけず反射形として用いられ、暗所ではランプ２０が自動的に点灯し透過形として読まれる。このため、暗くても明るくても読みとりやすい便利な液晶表示装置が得られる。」（４ページ８行〜１３行）
　
　同じく原査定の拒絶の理由で引用された特開平２−４２２１号公報（以下、「引用例３」という。）には、図面と共に次の事項が記載されている。
　
７「本発明は液晶バックライト制御装置、特に、バッテリ電源により動作する可搬型情報処理装置の表示部として用いられる半透過型液晶表示装置のの液晶バックライト制御装置に関する。」（１ページ左下欄下から３行〜右下欄上から１行）
　
８「上述した従来の液晶バックライト制御装置は、周囲光源や液晶表示面の角度などの条件が変わり、バックライトが消灯しても充分に表示内容が認識可能であっても、バッテリを消灯せずにバッテリ電源を浪費させてしまうという欠点があった。」（１ページ右下欄７行〜１２行）
　
９「バックライト４はバックライト用電源１１により駆動される。バックライト用電源１１はバッテリ８の直流電流をバックライト駆動電流に変換する。スイッチ１０ｂこの直流電流を開閉する。」（２ページ右上欄３行〜６行）
　
　同じく原査定の拒絶の理由で引用された特開昭６２−２９４２２３号公報（以下、「引用例４」という。）には、図面と共に次の事項が記載されている。
　
１０「バック照明部（６）のバック照明電源を制御し、液晶表示部（５）のバック照明を消去する制御を行うことを特徴とする液晶表示制御方式。」（１ページ左下欄１０行〜１３行）
　
３．対比
　本願発明と引用例１発明とを対比すると、引用例１発明の「主制御部１」は、本願発明の「情報処理部」に相当し、以下同様に、「データを入力するテンキー２ａ」は「外部からの情報を入力する情報入力部」に、「バックライト３ａ」は「バックライト」に、それぞれ相当する。
　引用例１発明の「液晶表示装置」は、「例えば電子式卓上計算機等のバックライトを有する液晶表示装置」であるから、本願発明同様「情報処理装置」であるといえる。
　引用例１発明は、「液晶によって表示される表示部であって背面からバックライト３ａに照らされるディスプレイ３を有する液晶表示装置」であるから、本願発明の「バックライト及び液晶表示部を含む液晶表示装置」を有することは明らかである。
　引用例１発明の液晶表示装置は、「表示面が暗い場合に押下されるバックライト点灯キー２ｃ」があることから、引用例１発明の液晶表示部は、バックライトからの透過光により表示を行う透過モードによって表示を行うものであるといえるから、以上を総合して両者は、
　
「バックライト及び液晶表示部を含む液晶表示装置と、外部からの情報を入力する情報入力部と、情報処理部とを備えた情報処理装置であって、
　前記液晶表示部は、前記バックライトからの透過光により表示を行う透過モードによって表示を行う情報処理装置。」の点で一致し、以下の点で相違している。
　
［相違点１］本願発明のバックライトは、情報入力部に外部からの情報の入力が一定時間ない場合に、省電力モードとなるのに対し、引用例１発明のバックライトは、バックライト３ａを消灯させる消灯キー２ｄの押下、または、消灯キー２ｄの押下がなくて、タイムオーバー信号がバックライト制御部８に送られ、バックライト制御部８がバックライト３ａを消灯させるものである点。
　
［相違点２］本願発明の液晶表示部は、バックライトからの透過光により表示を行う透過モードと、外光の反射光により表示を行う反射モードとによって表示を行い、かつ、前記バックライトが省電力モードになった時の表示内容と同じ内容を、前記バックライトが省電力モードになった時から、前記省電力モードになった後に外部からの情報の入力がある時まで、継続して表示するものであるのに対し、引用例１発明の液晶表示装置は、反射モードによって表示を行うことや、バックライトが消灯した時の表示内容がどのようになるか明らかでない点。
　
４．判断
［相違点１］
　本願発明において、「バックライト」が「省電力モード」となるとは、具体的にどのようなことを意味するのか、特許請求の範囲の記載のみでは明らかでないので、明細書の発明の詳細な説明を参酌するに、バックライトの省電力モードについては、明細書段落【００４２】に、「ステップ１０４に戻ると入力中断時間ｔが数分の場合ステップ１０８に向い、第１処理部４及び第２処理部７の処理頻度が低い場合はステップ１０８のバックライトの電源をＯＦＦにしてバックライトの省電力モードに入る。」と記載されており、バックライトの省電力モードは、バックライトの電源をＯＦＦすることによって生ずるモードを意味するものと認められる。
　一方、一般に、バックライトを有する液晶表示装置において、当該バックライトの電源をＯＦＦすることにより消灯することは従来周知（引用例２摘記事項５、引用例３摘記事項９、引用例４摘記事項１０参照。）である。
　そして、引用例１発明は、「オペレータはデータ処理操作に先立って、設定キー２ｅを押下して設定モードを指定し、テンキー２ａによって設定コードを入力すると設定時間選択部６は変換メモリ５の時間値Ｔを選択してタイムカウンタ７に設定し、カウンタ７がカウントを開始して時間値Ｔから減算するが、データ入力のキー操作が行われる都度カウントをクリヤして、再び時間値Ｔから減算を開始し、消灯キー２ｄの押下がなくて、やがて０に達するとタイムオーバー信号をバックライト制御部８に送り、バックライト制御部８はバックライト３ａを消灯させる」ものであることから、情報入力部に外部からの情報の入力が一定時間ない場合に、バックライトを消灯するものであるといえ、引用例１発明のバックライト制御部８によるバックライトの消灯制御に当該周知技術を採用して、バックライトの電源をＯＦＦすることによって省電力モードとすることに何らの困難性も見いだせない。
　
［相違点２］
　引用例１発明のような液晶表示装置において、バックライトからの透過光により表示を行う透過モードと、外光の反射光により表示を行う反射モードとによって表示を行うこと（引用例２摘記事項４〜６、引用例３摘記事項７、８参照。）、及び、操作部からの入力がなければ同じ内容が表示され続ける一方、操作部のテンキー等を押下することによって数字等を入力すれば、それが即座に液晶表示部に反映されて表示内容が変更されること（特開昭６３−２５７５５号公報「まずキーボード３の「１」キーを押すと、計算部１のＸレジスタに数字１が記憶され、この記憶内容は光学的表示部２及び音声合成部４に送られる。光学的表示部２では、数字１を光学的（視覚的）に表示する。」（２ページ右上欄１８行〜左下欄２行）、特開平１−２０４１２８号公報「キーボード２３におけるキー入力があると、ステップＳ１においてキャラクタキー１１による入力か、シフトキー１３による入力かが判断される。…中略…そして、この入力された文字あるいは数字・記号はステップＳ９の処理により表示部１４の所定位置に表示される。」（３ページ左下欄４行〜４ページ左上欄８行）、特開平１−２５９４４４号公報「以上の構成からなる卓上計算機１は、次のとおり使用され機能する。通常の四則計算では、「ａ」、「＋」、「ｂ」、「＝」あるいは「ａ」、「×」、「ｂ」、「＝」（ただし、ａ、ｂは任意の数）のように、キーを操作すると、それに応じて表示装置７０で順に表示が行われるとともに、最後に演算結果が表示される。」（３ページ右上欄１８行〜左下欄７行））は従来いずれも周知な事項である。
　そして、引用例１発明のディスプレイとして上記周知のものを用いたとしても、バックライトの点灯消灯如何によって、液晶表示部の表示制御が行われるものでないことは明らかであるから、引用例１発明において、上記周知技術を適用してバックライトからの透過光により表示を行う透過モードと、外光の反射光により表示を行う反射モードとによって表示を行い、かつ、前記バックライトが省電力モードになった時の表示内容と同じ内容を、前記バックライトが省電力モードになった時から、前記省電力モードになった後に外部からの情報の入力がある時まで、継続して表示することは当業者にとって容易である。
　
　また、本願発明の効果も、引用例１乃至４の記載及び周知技術に基づけば、当業者が普通に想起する範囲内のものである。
　
５．むすび
　したがって、本願発明は、引用例１乃至４に記載された発明及び周知技術に基づいて当業者が容易に発明をすることができたものであるから、特許法２９条２項の規定により特許を受けることができない。
　
　よって、結論のとおり審決する。